(57)【特許請求の範囲】
【請求項１】
閉状態の開閉カバーと平行して水平方向に設けられた回動軸と、前記開閉カバーの開閉動作に応じて前記回動軸を回動させる回動レバーと、前記回動軸に固定され且つ前記回動軸の回動により上下方向に回動するカム状のスイッチ押下部材と、このスイッチ押下部材の端部に当接して当該スイッチ押下部材の上下方向回動に応じて上下方向に昇降可能な厚板状のスイッチ当接部材とを具備し、前記スイッチ当接部材には側部に平板状の突出片を設け、この突出片の昇降を検出してオフ／オンする第１部品と、前記スイッチ当接部材の下部に当接して該スイッチ当接部材の昇降に応じてオフ／オンされるボタン状の第２部品とを有し、前記開閉カバーの開閉動作に応じた前記スイッチ当接部材の昇降により、前記第１部品と前記第２部品とをオフ／オンさせることを特徴とする複写機又は複合機。
【請求項２】
前記スイッチ当接部材の前記スイッチ押下部材に当接する上面には当該スイッチ押下部材が回動する方向に向けて下方に傾斜した面が設けられていることを特徴とする請求項１に記載の複写機又は複合機。
【請求項３】
前記開閉カバーの開閉方向に直交する方向に開閉する第２カバーと、この第２カバーの開閉動作に応じて前記回動軸方向に水平移動する棒状のロック規制部材と、前記スイッチ押下部材に設けられた軸部に保持され且つ前記回動軸の回動により該回動軸に直交する方向に水平移動する平板状のロック部材と、を有し、前記第２カバーが開状態の場合は前記ロック規制部材が前記ロック部材に当接して前記ロック部材の移動を規制することにより前記回動軸の回動を規制して前記開閉カバーの閉動作を規制し、前記第２カバーが閉状態の場合は前記ロック規制部材が前記ロック部材に当接せずに前記ロック部材の移動を許容することにより前記回動軸の回動を許容して前記開閉カバーの閉動作を許容することを特徴とする請求項１又は請求項２に記載の複写機又は複合機。
【請求項４】
前記第２カバーの閉じ内面に前記ロック部材に係合するフック部材を設け、前記第２カバーが閉状態の場合は、前記開閉カバーの閉動作に応じて前記ロック部材が移動することにより前記フック部材に係合して前記第２カバーを閉じ状態にロックすることを特徴とする請求項３に記載の複写機又は複合機。
【請求項５】
前記開閉カバー側から前記ロック規制部材の移動方向と直交する方向に着脱可能な第３の部品とを有し、前記第２カバーの閉動作に応じて前記ロック規制部材が移動することにより前記第３の部品に当接して前記第３の部品の着脱を制限することを特徴とする請求項３又は請求項４に記載の複写機又は複合機。
【発明の詳細な説明】
【０００１】
【発明の属する技術分野】
本発明は、開閉カバーを開けたときに、これに連動して装置内の非安全部品への電源供給を遮断する複写機又は複合機に関する。
【０００２】
【従来の技術】
従来から、複写機又は複合機（以下、「複写機等」という）の前面には、トナーボトルの交換又は紙詰まりの解除等のために開閉カバーが設けられている。しかし、複写機等の内部には、ＬＳＵ又は駆動モータ等の非安全部品が存在する。そのため、開閉カバーを開けたとき、ＬＳＵのレーザで目を焼いたり、又はローラ駆動により手が引込まれたりするのを防止するため、非安全部品への電源供給を遮断することが、ＩＥＣ（「international electro technical commission」）規格により義務づけられている。複写機等には、このような電源供給の遮断を、開閉カバーの開閉と連動して行うように、インターロック装置が設けられている。
【０００３】
図１５及び図１６は、従来のインターロック装置の構成を示す拡大図である。なお、図１５は従来のインターロック装置のＯＦＦ状態を示し、図１６はＯＮ状態を示している。また、各図（ａ）は従来のインターロック装置の上面図を示し、各図（ｂ）は側面図を示す。
【０００４】
従来のインターロック装置１５００は、開閉カバーの開閉動作に連動して、開閉カバーの開閉状態を検知する開閉センサ１５０１、ＬＳＵに電源供給を行う第１スイッチ１５０２及び駆動モータに電源供給を行う第２スイッチ１５０３を備えている。
【０００５】
また、図１５（ａ）に示すように、開閉カバー１５０４の端部が当接する押下手段１５０５が設けられている。押下手段１５０５は、閉動作に応じた開閉カバー１５０４の移動により直接、装置内側に押し込まれる。なお、押下手段１５０５は、通常、ばねにより図１５に示す位置に付勢されている。
【０００６】
この押下手段１５０５の裏側に第２スイッチ１５０３と連結部材１５０６の端部とが並列に配置されている。
【０００７】
第２スイッチ１５０３は、押下手段１５０５が装置内側に押し込まれた場合に押下手段１５０５の裏面に当接しＯＮとなる。一方、押下手段１５０５が元の位置に戻るとＯＦＦとなる。
【０００８】
連結部材１５０６は、押下手段１５０５の装置内側への移動に応じて装置内側に押し込まれる。一方、押下手段１５０５が元の位置に戻ると、これに応じて元の位置に戻る。なお、連結部材１５０６の移動は、図１５（ｂ）に示すように、連結部材１５０６に形成された複数の溝１５０７と複写機等の筐体に設けられたガイド１５０８とにより規制されている。
【０００９】
連結部材１５０６の移動領域に開閉センサ１５０１及び第１スイッチ１５０２が配置されている。
【００１０】
開閉センサ１５０１は、例えば、発光素子及び受光素子から成る透過式のセンサで構成される。連結部材１５０６に形成された遮光部１５０９が開閉センサ１５０１の検知領域を通過する位置に配置されている。開閉センサ１５０１は、遮光部１５０９が検知領域にある場合にＯＦＦとなる一方、ない場合にＯＮとなる。すなわち、遮光部１５０９が検知領域にある場合に開閉カバー１５０４が開いており、ない場合に開閉カバー１５０４が閉じていることを検知する。
【００１１】
第１スイッチ１５０２は、連結部材１５０６の装置内側への移動に応じて連結部材１５０６の所定位置に当接しＯＮとなる。一方、連結部材１５０６が元の位置に戻るとＯＦＦとなる。
【００１２】
このような構成を有する従来のインターロック装置１５００は、以下のように動作する。
【００１３】
開閉カバー１５０４を閉じた場合には、図１６に示すように、開閉カバー１５０４が押下手段１５０５を押下する。これに連動して、第２スイッチがＯＮされる一方、連結部材１５０６が装置内側に移動する。
【００１４】
連結部材１５０６の移動に応じて、開閉センサ１５０１の検知領域から遮光部１５０９が退避することでＯＮとされる一方、所定位置との当接により第１スイッチ１５０２がＯＮされる。これにより、開閉センサ１５０１、第１スイッチ１５０２及び第２スイッチ１５０３は、開閉カバー１５０４の閉動作に連動してＯＮすることになる。
【００１５】
一方、開閉カバー１５０４を開いた場合には、図１５に示すように、開閉カバー１５０４が押下手段１５０５から離間し、押下手段１５０５を押下するものがなくなる。すると、押下手段１５０５はばねにより元の位置に戻り、連結部材１５０６の端部及び第２スイッチ１５０３から離間する。
【００１６】
この押下手段１５０５の移動に応じて第２スイッチがＯＦＦされる。また、連結部材１５０６が移動して元の位置に戻ることで、開閉センサ１５０１及び第１スイッチ１５０２がＯＦＦされる。これにより、開閉センサ１５０１、第１スイッチ１５０２及び第２スイッチ１５０３は、開閉カバー１５０４の開動作に連動してＯＦＦすることになる。
【００１７】
【発明が解決しようとする課題】
しかし、かかる従来の技術では、以下のような問題があった。
【００１８】
即ち、開閉センサ１５０１、第１スイッチ１５０２及び第２スイッチ１５０３は、開閉カバー１５０４の開閉動作に連動して所定のタイミングでＯＮ／ＯＦＦしなければならないが、開閉センサ１５０１、第１スイッチ１５０２及び第２スイッチ１５０３はそれぞれ別部品で構成されている。このため、各部品間で公差が生じやすく、開閉センサ１５０１、第１スイッチ１５０２及び第２スイッチ１５０３の間でそのＯＮ／ＯＦＦのタイミングにずれが生じるおそれがあった。
【００１９】
この場合、開閉カバー１５０４が完全に閉っていないのにＬＳＵや駆動モータに電源が供給される一方、開閉カバー１５０４が完全に閉っているのにＬＳＵや駆動モータに電源が供給されないという問題が生じ得る。
【００２０】
かかる課題に対処するために、各部品の設計精度及び部品間の組立精度を高めることが考えられるが、その結果コストの上昇を招来するという問題が生じる。また、設計精度及び組立精度を高めるとしても、各部品毎の精度のばらつきは無くなるものではない。その上、このような部品を３個別々に押下させる構成であるので、全体として精度のばらつきは生じてしまい、精度の向上にも自ずと限界がある。
【００２１】
また、上記従来の構成では連結部材１５０６を移動させるものであるが、この連結部材１５０６を移動させる際、連結部材１５０６がスムーズに移動しないという問題も発生していた。
【００２２】
これは、連結部材１５０６のおける押下手段１５０５が押下する点、即ち、力点と、連結部材１５０６における開閉センサ１５０１又は第１スイッチ１５０２を押下する点、即ち、作用点とを、機構上の制約から、同一水平線上に設けることができないために生ずる問題である。
【００２３】
例えば、力点を連結部材１５０６の下方に設け、また、作用点を連結部材１５０６の上方に設けた場合、連結部材１５０６には回動させる力が働く。このため、図１７に示すように、わずかに連結部材１５０６に図１７に示す左端部が上方に移動し、右端部が下方に移動する事態が生ずるので、スムーズに水平に移動しないことになる。
【００２４】
この場合、開閉カバー１５０４を閉じる場合に開閉カバー１５０４が最後まで閉らないという問題が生じ、また、開閉カバー１５０４が最後まで閉じたとしても、無理に閉じたために連結部材１５０６が変形するという問題が生じ得る。
【００２５】
一方、開閉カバー１５０４を開く場合に連結部材１５０６が開閉センサ１５０１及び第１スイッチ１５０２から十分離間せず、開閉センサ１５０１及び第１スイッチ１５０２がＯＦＦしないという問題も生じ得る。
【００２６】
かかる課題に対処するために、上記と同様に、連結部材１５０６上の溝１５０７及びガイド１５０８を構成する各部品の設計精度及び各部品間の組立精度を高めるが考えられるが、その結果コストの上昇を招くという問題が生じる。
【００２７】
また、連結部材１５０６の長さを長くすると、回動による上下方向のガタは移動の過程で吸収されるので、その影響をある程度小さくできる。しかし、連結部材１５０６を長く構成すると、装置内部に占める連結部材１５０６の占有領域が大きくなるので、周辺領域の設計の自由度を大きく制約するという問題が生じる。
【００２８】
本発明は、かかる問題点に鑑みてなされたものであり、開閉カバーの開閉動作に連動して、開閉カバーの状態を検知すると共に非安全部品への電源を確実に供給遮断でき、且つその機構を小型化した場合であっても低コストを実現することができる複写機又は複合機を提供することを目的とする。
【００２９】
【課題を解決するための手段】
本発明は、閉状態の開閉カバーと平行して水平方向に設けられた回動軸と、前記開閉カバーの開閉動作に応じて前記回動軸を回動させる回動レバーと、前記回動軸に固定され且つ前記回動軸の回動により上下方向に回動するカム状のスイッチ押下部材と、このスイッチ押下部材の端部に当接して当該スイッチ押下部材の上下方向回動に応じて上下方向に昇降可能な厚板状のスイッチ当接部材とを具備し、前記スイッチ当接部材には側部に平板状の突出片を設け、この突出片の昇降を検出してオフ／オンする第１部品と、前記スイッチ当接部材の下部に当接して該スイッチ当接部材の昇降に応じてオフ／オンされるボタン状の第２部品とを有し、前記開閉カバーの開閉動作に応じた前記スイッチ当接部材の昇降により、前記第１部品と前記第２部品とをオフ／オンさせるものである。
【００３０】
これによれば、開閉カバーを閉状態にすることにより、厚板状のスイッチ当接部材が下降することで、スイッチ当接部材側部の平板状の突出片で第１部品をオンすると共にスイッチ当接部材の下部でボタン状の第２部品をオンさせることにより、スイッチ当接部材の下降という１つの動作で第１部品及び第２部品をオンできるので、第１部品及び第２部品のオフ／オンを効率的に行うことができる。
【００３１】
【発明の実施の形態】
本発明の第１の態様に係る複写機又は複合機は、閉状態の開閉カバーと平行して水平方向に設けられた回動軸と、前記開閉カバーの開閉動作に応じて前記回動軸を回動させる回動レバーと、前記回動軸に固定され且つ前記回動軸の回動により上下方向に回動するカム状のスイッチ押下部材と、このスイッチ押下部材の端部に当接して当該スイッチ押下部材の上下方向回動に応じて上下方向に昇降可能な厚板状のスイッチ当接部材とを具備し、前記スイッチ当接部材には側部に平板状の突出片を設け、この突出片の昇降を検出してオフ／オンする第１部品と、前記スイッチ当接部材の下部に当接して該スイッチ当接部材の昇降に応じてオフ／オンされるボタン状の第２部品とを有し、前記開閉カバーの開閉動作に応じた前記スイッチ当接部材の昇降により、前記第１部品と前記第２部品とをオフ／オンさせる構成を採る。
【００３２】
この構成によれば、開閉カバーを閉状態にすることにより、厚板状のスイッチ当接部材が下降することで、スイッチ当接部材側部の平板状の突出片で第１部品をオンすると共にスイッチ当接部材の下部でボタン状の第２部品をオンすることができる。このため、スイッチ当接部材の下降という１つの動作で第１部品及び第２部品をオンできるので、第１部品及び第２部品のオフ／オンを効率的に行うことができる。
【００３３】
また、一つの厚板状のスイッチ当接部材で第１部品及び第２部品をオンできるので、部品点数を削減し、装置の小型化及び省スペース化を実現できる。
【００３６】
さらに、１つの厚板状のスイッチ当接部材で２個所の部品をオフ／オンできるので、その分部品間のバラツキが発生する余地が減少し、精度の高いオフ／オンを実現できる。その結果、開閉カバーの開閉動作に連動させて、２個所の部品のオフ／オンを確実に行うことができる。
【００３７】
一方、カム状のスイッチ押下部材を回動軸に固定して回動軸の回動により上下方向に回動させることにより、カム状のスイッチ押下部材を平行方向に移動させるのではなく、平行方向に移動する際に妨げとなっていた回動動作を用いて移動させる。このため、カム状のスイッチ押下部材の移動を妨げるものがなく、カム状のスイッチ押下部材をスムーズに移動させることができる。その結果、部品のオフ／オンを確実に行うことができる。
【００３８】
また、カム状のスイッチ押下部材を回動軸に固定して回動軸の回動により上下方向に回動させることにより、カム状のスイッチ押下部材の回動動作の起点が回動軸となって、カム状のスイッチ押下部材の力点と回動支点とが同一点上に重ならせることができる。このため、従来のように、力点と回動支点とが分離する場合のように、カム状のスイッチ押下部材の移動の際にガタが生ずるのを防止でき、カム状のスイッチ押下部材をスムーズに移動させることができる。その結果、部品のオフ／オンを確実に行うことができる。
【００３９】
本発明の第２の態様に係る複写機又は複合機は、前記第１の態様において、前記スイッチ当接部材の前記スイッチ押下部材に当接する上面には当該スイッチ押下部材が回動する方向に向けて下方に傾斜した面が設けられている構成を採る。
【００４０】
この構成によれば、スイッチ当接部材上端の下方に傾斜した面にスイッチ押下部材の下端部が当接することで、スイッチ押下部材の回動に応じてスイッチ当接部材が下方に押下される。
【００４３】
本発明の第３の態様に係る複写機又は複合機は、前記開閉カバーの開閉方向に直交する方向に開閉する第２カバーと、この第２カバーの開閉動作に応じて前記回動軸方向に水平移動する棒状のロック規制部材と、前記スイッチ押下部材に設けられた軸部に保持され且つ前記回動軸の回動により該回動軸に直交する方向に水平移動する平板状のロック部材と、を有し、前記第２カバーが開状態の場合は前記ロック規制部材が前記ロック部材に当接して前記ロック部材の移動を規制することにより前記回動軸の回動を規制して前記開閉カバーの閉動作を規制し、前記第２カバーが閉状態の場合は前記ロック規制部材が前記ロック部材に当接せずに前記ロック部材の移動を許容することにより前記回動軸の回動を許容して前記開閉カバーの閉動作を許容する構成を採る。
【００４４】
この構成によれば、第２カバーの開閉動作と開閉カバーの開閉動作とに応じて、第１部品及び第２部品のオフ／オンを制御することができる。
【００４５】
また、第２カバーを閉めるまでは開閉カバーを閉めようとしても回動レバーは回動せず、これが妨げとなって開閉カバーは閉らない。このため、開閉カバーが閉位置にあるときは必ず第２カバーも閉位置にあることになり、開閉カバーの開閉センサを第２カバーの開閉センサとして兼用でき、その分部品点数を削減し、装置の小型化及び低コストを実現できる。
【００４６】
本発明の第４の態様に係る複写機又は複合機は、前記第３の態様において、前記第２カバーの閉じ内面に前記ロック部材に係合するフック部材を設け、前記第２カバーが閉状態の場合は、前記開閉カバーの閉動作に応じて前記ロック部材が移動することにより前記フック部材に係合して前記第２カバーを閉じ状態にロックする構成を採る。
【００４７】
この構成によれば、回動軸の回動によりスイッチ押下部材が押下するスイッチ当接部材が第１部品及び第２部品のオフ／オンを行うと共に、回動軸に第２開閉カバーのロック部材を設けて回動軸の回動により前記第２開閉カバーをロックする。これにより、回動軸の回動という１つの動作で、第１部品のオフ／オン、第２部品のオフ／オン、第２開閉カバーのロック、という３つの動作を行うことができる。このため、部品点数を削減して、前記３動作を行わせる機構をコンパクトにできる。
【００８７】
以下、本発明の一実施の形態について、図面を参照して詳細に説明する。
【００８８】
図１は、本発明の一実施の形態に係るインターロック装置が適用される複写機１００の概略構成図である。
【００８９】
図１に示すように、本複写機１００は、上部に原稿の読み取りを行う読取ユニット１０１を備え、その下方に給紙、転写、記録、定着の処理を実行する本体ユニット１０２を備える。
【００９０】
本体ユニット１０２の底部に給紙カセット１０３が設置されている。給紙カセット１０３にセットされた用紙束から最上面の用紙がピックアップローラ１０４によって取り出される。
【００９１】
給紙カセット１０３から取り出された用紙は、給紙ローラ１０５によって本体ユニット１０２の底部から上方に向けて形成された紙パス１０６に送り込まれる。紙パス１０６には、本発明に係る用紙搬送装置における用紙の搬送手段としての複数の搬送ローラ１０７、１０８及び１０９が配置されている。
【００９２】
最も上方に配置された搬送ローラ１０９によって搬送された用紙は、搬送ローラ１１０によってレジストローラ１１１に渡される。レジストローラ１１１による用紙の搬送先には、図中矢印方向に回転する感光体ドラム１１２が配置されている。感光体ドラム１１２は、本実施の形態に係る感光体ドラム駆動装置にその側面で軸支されている。
【００９３】
感光体ドラム１１２の上方には、感光体ドラム１１２の表面に潜像画像を形成するＬＳＵ（Laser Scan Unit）１１３が配置されている。感光体ドラム１１２に形成された潜像画像に現像材（トナー）を付着させる現像装置１１４が感光体ドラム１１２に隣接して配置されている。現像装置１１４内部には現像材を攪拌・搬送する攪拌ローラと感光体ドラム１１２に現像材を付着させる現像ローラを備えている。
【００９４】
感光体ドラム１１２の下方には、感光体ドラム１１２に現像材が付着することで形成された画像を、搬送される用紙に転写する転写器１１５が設置されている。なお、感光体ドラム１１２上の画像と用紙の記録領域との位置調整はレジストローラ１１１によって制御される。
【００９５】
画像を転写し終わった感光体ドラム１１２の表面をクリーニングするクリーニングユニット１１６が感光体ドラム１１２に隣接して配置されている。画像が転写された用紙は搬送ベルト１１７によりさらに搬送される。搬送ベルト１１７の搬送先には定着ユニット１１８が配置されている。
【００９６】
定着ユニット１１８は、定着ローラ１１９と、定着ローラ１１９に対向配置された加圧ローラ１２０と、定着ローラ１１９に残留したトナーの剥離性を高めるためオイルを塗布するクリーニングローラ（不図示）とを備えている。定着ローラ１１９が用紙の記録面に熱を加え、加圧ローラ１２０が用紙を定着ローラ１１９との間で押圧することにより、用紙に画像が定着する。
【００９７】
定着ユニット１１８から排出された用紙は、排出ローラ１２１により本体ユニット１０２の外部に排出される。本体ユニット１０２から排出された用紙は、排紙トレイ１２２上に受け止められる。
【００９８】
定着ユニット１１８と排出ローラ１２１との間に、用紙を本体ユニット１０２の外部に排出するか、両面記録を行うための両面パス１２３に送り込むかを切り替える切替ガイド１２４が配置されている。両面パス１２３は、切替ガイド１２４の近傍から下方向に向かって形成され、その途中で略水平方向に向かって形成されている。
【００９９】
両面パス１２３に送り込まれた用紙は、反転ローラ１２５により両面パス１２３のうち、下方向に形成された部分１２３Ａの延長上に形成された反転パス１２６に一旦引き込まれる。反転パス１２６に用紙が引き込まれると、反転ローラ１２５が反転し、用紙を両面パス１２３のうち、略水平方向に形成された部分１２３Ｂに送り込む。この時点で用紙の表裏が反転する。
【０１００】
略水平方向に形成された両面パス１２３Ｂに送り込まれた用紙は、両面パス１２３Ｂ上に形成された搬送ローラ１２７、１２８及び１２９により搬送される。両面パス１２３Ｂは、搬送ローラ１１０の下方で紙パス１０６に連結されている。搬送ローラ１２７、１２８及び１２９により両面パス１２３Ｂを搬送し、紙パス１０６に送り込まれた用紙は、再度、感光体ドラム１１２の下方に送り込まれ、今度はその裏面に画像が形成される。
【０１０１】
本体ユニット１０２の側面に給紙カセット１０３からの給紙以外の給紙を実現する手差しトレイ１３０が設けられている。手差しトレイ１３０に載置された用紙束の最上面の用紙がピックアップローラ１３１により取り込まれ、搬送ローラ１３２によりレジストローラ１１１に渡される。
【０１０２】
以下、本実施の形態のインターロック装置の複写機１００における配置を図２に示す上面図、図３に示す前面図及び図４に示す側面図を用いて説明する。
【０１０３】
図２は、本実施の形態の複写機１００の上面図である。図２においては、本複写機１００の内部に配置されるインターロック装置周辺の一部を上面から示している。なお、図２（ａ）は本複写機１００全体の上面図を示し、図２（ｂ）はインターロック装置周辺の拡大図を示している。
【０１０４】
図２に示すように、本複写機１００は、装置前面に開閉カバー２００が設けられている。開閉カバー２００は、図２に示す複写機１００の右端部で支持され、その左端部を装置の前方に開閉する。本複写機１００においては、装置のメンテナンスや紙詰まりした用紙の除去等の場合に開閉カバー２００を開いて作業が行われる。
【０１０５】
開閉カバー２００の裏側に装置内部への通風孔の外周カバー２０１が設けられている。外周カバー２０１は、内部に、開閉カバー２００が閉じた状態の時に本複写機１００の内部に配置された送風器２０２からの空気を定着ユニット１１８の定着領域に送る空気の経路を形成する。外周カバー２０１を介して装置内部に送られる空気は、図中矢印Ａのように流れる。
【０１０６】
外周カバー２０１の表面であって送風器２０２よりの位置に、本複写機１００の内側に向けて突出した押圧部材としてのリブ２０３が設けられている。開閉カバー２００を閉じた場合にリブ２０３が当接する位置にインターロック装置２０４が配置されている。なお、図２（ｂ）に示すように、開閉カバー２００に設けられたリブ２０３は、インターロック装置２０４の後述する回動レバーに当接する。
【０１０７】
インターロック装置２０４は、本複写機１００の前面側であって、図２に示す左側に配置されたフレーム２０５に固定されている。インターロック装置２０４は、開閉カバー２００に設けられたリブ２０３の当接の有無、すなわち、開閉カバー２００の開閉動作と、後述する側面カバーの開閉動作とに応じて非安全部品への電源供給の遮断等を制御する。
【０１０８】
図３は、本実施の形態の複写機１００の前面図である。図３においては、本複写機１００の内部に配置されるインターロック装置２０４周辺の一部を前面から示している。なお、図３（ａ）は本複写機１００全体の前面図を示し、図３（ｂ）はインターロック装置２０４周辺の拡大図を示している。
【０１０９】
図３に示すように、本複写機１００は、装置側面に側面カバー３００が設けられている。側面カバー３００は、その下端部で複写機１００に支持され、その上端部を装置の側方に開閉する。この側面カバー３００も、装置のメンテナンスや紙詰まりした用紙の除去等の作業時に開閉される。
【０１１０】
側面カバー３００の裏側に本複写機１００の内側に向けて延びるフック３０１が設けられている。側面カバー３００を閉じた場合にフック３０１と係合する位置にインターロック装置２０４が配置されている。なお、図３（ｂ）に示すように、側面カバー３００に設けられたフック３０１は、後述するインターロック装置２０４のロック規制部材を退避させ、ロック部材と係合する。
【０１１１】
上述のように、インターロック装置２０４は、側面カバー３００に設けられたフック３０１の進入の有無、すなわち、側面カバー３００の開閉動作と、上述した開閉カバー２００の開閉動作に応じて非安全部品への電源供給の遮断等を制御する。
【０１１２】
図４は、本実施の形態の複写機１００の側面図である。図４においては、本複写機１００の内部に配置されるインターロック装置２０４周辺の一部を側面から示している。なお、図４（ａ）は開閉カバー２００を閉じた場合について示し、図４（ｂ）は開閉カバー２００を開いた場合について示している。
【０１１３】
側面カバー３００のフック３０１は、本複写機１００の前面側の一辺に設けられている。インターロック装置２０４は、そのフック３０１と装置内部で係合する。すなわち、インターロック装置２０４は、図４に示すように、側面カバー３００よりもわずかに開閉カバー２００寄りの位置、すなわち、本複写機１００の前面寄りの位置に配置されている。
【０１１４】
また、図４（ｂ）に示すように、外周カバー２０１は、開閉カバー２００の裏側であって、同図に示す右寄りの位置に設けられている。リブ２０３は、その外周カバー２０１の表面上であって、同図に示す右寄りの位置に設けられている。
【０１１５】
なお、図４に示すように、本複写機１００の側面であって、外周カバー２０１に空気を流す送風器２０２に対応する位置には、通気口４０１が設けられている。
【０１１６】
図５は、本実施の形態のインターロック装置２０４周辺の斜視図である。
【０１１７】
図５に示すように、インターロック装置２０４を固定するフレーム２０５は、本複写機１００の側面と平行に配置された第１面５０１と、本複写機１００の後面側でこの第１面５０１と直交する第２面５０２とを有する。インターロック装置２０４は、この第１面５０１及び第２面５０２の所定位置で固定されている。
【０１１８】
フレーム２０５の第１面５０１における本複写機１００の後面寄りの位置に溝部５０３が形成されている。溝部５０３には側面カバー３００に設けられたフック３０１が進入する。溝部５０３から進入したフック３０１に、後述するインターロック装置２０４のロック部材が係合する。
【０１１９】
フレーム２０５の第１面５０１における本複写機１００の前面寄りの位置に複数の通気孔５０４が形成されている。通気孔５０４は、本複写機１００の側面に設けられた通気口４０１から吸い込まれた空気を装置内部に進入させるために形成されている。
【０１２０】
フレーム２０５の第２面５０２の先端より本複写機１００の内側に定着ユニット１１８が配置されている。定着ユニット１１８における本複写機１００の前面側の外壁に係合部５０５が固定されている。
【０１２１】
係合部５０５は、後述するインターロック装置２０４のロック規制部材と係合する。図５では、このロック規制部材が係合部５０５に係合した状態を示している。このようにロック規制部材が係合部５０５に係合した場合には、定着ユニット１１８の着脱が制限される。
【０１２２】
本実施の形態のインターロック装置２０４は、主に開閉カバー２００の開閉動作に応じて効率的に開閉センサ及び非安全部品の電源のＯＮ／ＯＦＦ制御を行う第１機構と、主に開閉カバー２００の開閉状態と側面カバー３００の開閉状態とを関連づけて側面カバー３００が開状態で非安全部品の電源等がＯＮされるのを回避する第２機構と、から構成されている。
【０１２３】
なお、上述した第１機構における開閉センサは、開閉カバー２００の開閉状態を検知するものである。また、非安全部品とは、例えば、ＬＳＵ１１３や感光体ドラム１１２等の駆動モータが該当する。
【０１２４】
第１機構は、インターロック装置２０４における本複写機１００の前面側に配置される。一方、第２機構は、インターロック装置２０４における本複写機１００の後面側に配置される。
【０１２５】
図６は、本実施の形態のインターロック装置２０４を構成する第１機構の斜視図である。
【０１２６】
図６に示すように、第１機構は、下方に、開閉センサ、非安全部品の電源及びこれらのＯＮ／ＯＦＦを行うスイッチから構成されるスイッチ機構６０１を備え、上方に、開閉カバー２００の開閉動作に応じて回動し、スイッチ機構６０１のスイッチをＯＮ／ＯＦＦする回動機構６０２を備えている。
【０１２７】
図７は、第１機構を構成する回動機構６０２の拡大図である。図７（ａ）は回動機構６０２の斜視図を示し、図７（ｂ）は回動機構６０２の正面図を示し、図７（ｃ）は上面図を示している。
【０１２８】
図７（ａ）に示すように、回動機構６０２は、水平方向に設けられた回動軸７０１を備えている。回動軸７０１は、回動機構６０２の筐体７０２により回動自在に支持されている。
【０１２９】
回動軸７０１の一端に連結部材７０３が固定されている。連結部材７０３は、回動軸７０１の端部から上下に一定の長さを有する形状に設けられている。この連結部材７０３の下端部に回動レバー７０４が固定されている。
【０１３０】
回動レバー７０４は、回動軸７０１の軸方向と同一の方向に本複写機１００の内側に向けて設けられている。上述のように、回動レバー７０４の周面に開閉カバー２００の裏面に設けられたリブ２０３が当接する。これにより、回動レバー７０４が装置後方に回動する。回動レバー７０４は、連結部材７０３を介して回動軸７０１に固定されている。したがって、回動レバー７０４に回動に応じて回動軸７０１も回動する。
【０１３１】
回動軸７０１の中央近傍に、スイッチ機構６０１のスイッチを押下する押下部材７０５が固定されている。押下部材７０５は、回動軸７０１の回動に応じて回動する。押下部材７０５は、開閉カバー２００が閉状態の場合に筐体７０２の下面から下方に突出する形状を有している。
【０１３２】
なお、筐体７０２の下面であって、後述する押下部材に対応する位置に切り欠き部が形成されている。押下部材７０５は、この切り欠き部を介して筐体７０２の下面に突出する。
【０１３３】
押下部材７０５の回動レバー７０４側の側面であって、回動軸７０１よりも下方の領域の位置に突出片７０６が設けられている。一方、回動軸７０１の周面であって、押下部材７０５の突出片７０６に対応する位置にばね７０７が取り付けられている。
【０１３４】
ばね７０７の一端が内側から突出片７０６に係止されている。一方、ばね７０７の他端は筐体７０２の所定位置で係止されている。ばね７０７により、押下部材７０５には図中矢印Ａ方向に付勢する力が加わっている。
【０１３５】
突出片７０６と反対側の側面であって、回動軸７０１よりも下方の領域の位置に軸部７０８が設けられている。軸部７０８の先端近傍にロック部材７０９が取り付けられている。ロック部材７０９は、図７（ｃ）に示すように、筐体７０２に形成された溝部を通過して第２機構側に突出する。側面カバー３００のフック３０１する。
【０１３６】
ロック部材７０９の下方には、図７（ｂ）に示すように、ロック部材７０９の下面を支持する支持部材７１０が設けられている。ロック部材７０９は、押下部材７０５の回動に応じて支持部材７１０上を本インターロック装置２０４の前後方向に移動する。
【０１３７】
図８（ａ）に図７（ｃ）に示す点線Ａにおける断面図を示し、図８（ｂ）に図７（ｃ）に示す点線Ｂにおける断面図を示す。なお、図８においては、開閉カバー２００が閉じている場合を実線で示し、開いている場合を点線で示している。また、図８において、左側を装置前方といい、右側を装置後方というものとする。
【０１３８】
図８（ａ）に示すように、開閉カバー２００が開いている場合には、押下部材７０５は、下端が装置前方に移動した状態となっている。このとき、軸部７０８は、図８（ｂ）に示すように、押下部材７０９の位置に応じて装置前方に移動している。これに応じてロック部材７０９も装置前方に移動した状態となっている。この場合には、側面カバー３００が閉じていたとしても、ロック部材７０９は、フック３０１に係合することはない。
【０１３９】
一方、開閉カバー２００が閉じている場合には、図８（ａ）に示すように、押下部材７０５は、下端が筐体７０２の下面から突出する位置に移動した状態となっている。このとき、軸部７０８は、図８（ｂ）に示すように、押下部材７０９の位置に応じて装置後方に移動している。これに応じてロック部材７０９も装置後方に移動した状態となっている。この場合には、側面カバー３００が閉じていると、ロック部材７０９はフック３０１に係合することとなる。
【０１４０】
図９は、第１機構を構成するスイッチ機構６０１の拡大図である。図９（ａ）はスイッチ機構６０１の斜視図を示し、図９（ｂ）はスイッチ機構６０１の上面図を示している。なお、図９（ｂ）に示す下側を装置前方といい、上側を装置後方というものとする。
【０１４１】
図９（ａ）に示すように、スイッチ機構６０１は、上面に上下方向に昇降可能なスイッチとしての当接部材９０１を備えている。当接部材９０１の下方には、図示しないばねが配置されている。このばねの付勢力により当接部材９０１は、上述の押下部材７０５に押下されていない場合には上方に持ち上げられた状態となっている。
【０１４２】
当接部材９０１の下方移動する先に、ＬＳＵ１１３や感光体ドラム１１２等の駆動モータなどの非安全部品の電源９０２が配置されている。当接部材９０１が下方移動すると、電源９０２の上面に設けられたボタンが下方に押下される。これにより、電源９０２は、非安全部品に電源を供給する。なお、当接部材９０１による電源９０２のボタンの押下については後述する。
【０１４３】
当接部材９０１の側方に、開閉カバー２００の開閉状態を検知する開閉センサ９０３が配置されている。開閉センサ９０３は、例えば、発光素子及び受光素子から成る透過式のセンサで構成される。発光素子からの光が遮光された場合にＯＮとなり、開閉カバー２００が閉じていることを検知する。
【０１４４】
当接部材９０１の上面には、図９（ａ）に示すように、装置前方から装置後方に向けて上方に傾斜した面を有する当接片９０４が設けられている。この当接片９０４の上端面に押下部材７０５の下端部が当接することで、当接部材９０１が下方に押下される。
【０１４５】
また、当接部材９０１の開閉センサ９０３側の側面には、図９（ｂ）に示すように、開閉センサ９０３の検知領域に向けて延びる突出片９０５が設けられている。突出片９０５は、開閉センサ９０３の検知領域に入り込み、発光素子からの光を遮光させる。
【０１４６】
以下、スイッチ機構６０１の当接部材９０１の動きについて図１０を用いて説明する。
【０１４７】
図１０（ａ）、（ｃ）は、当接部材９０１周辺の正面図である。図１０（ａ）においては当接部材９０１が下方移動している場合を示し、図１０（ｃ）においては当接部材９０１が元に戻っている場合を示している。図１０（ｂ）、（ｄ）は、それぞれ図１０（ａ）、図１０（ｃ）に示す点線Ａにおける断面図を示している。
【０１４８】
図１０（ａ）に示すように、当接部材９０１が下方移動している場合には、突出片９０５は、開閉センサ９０３の検知領域に入り込んでいる。したがって、開閉センサ９０３は、開閉カバー２００が閉じた状態であることを検知する。
【０１４９】
また、図１０（ｂ）に示すように、当接部材９０１の下面が当接することで、電源９０２の上面に設けられたボタン１００１が押下されている。したがって、電源９０２から非安全部品に電源供給が行われた状態となっている。
【０１５０】
一方、当接部材９０１が元の位置に戻った場合には、図１０（ｃ）に示すように、突出片９０５は、開閉センサ９０３の検知領域から上方に退避している。したがって、発光素子からの光は受光素子で受光される。このため、開閉センサ９０３は、開閉カバー２００が開いた状態であることを検知する。
【０１５１】
また、図１０（ｄ）に示すように、当接部材９０１の下面も上方に移動している。このため、電源９０２の上面に設けられたボタン１００１が当接部材９０１の押下から解放され、元の位置に戻る。したがって、電源９０２から非安全部品への電源供給が停止された状態となっている。
【０１５２】
このように本実施の形態のインターロック装置２０４では、スイッチとしての当接部材９０１を上下方向に昇降可能なものとし、押下部材７０５が下方に回動することで、当接部材９０１の下面で非安全部品への電源９０２をＯＮすると共に当接部材９０１の側面に設けられた突出片９０５で開閉センサ９０３をＯＮする。これにより、当接部材９０１の移動という１つの動作で非安全部品への電源９０２及び開閉センサ９０３をＯＮできるので、非安全部品への電源９０２及び開閉センサ９０３のＯＮ／ＯＦＦを効率的に行うことができる。
【０１５３】
また、当接部材９０１を上下方向に昇降可能なものとし、押下部材７０５が下方に回動することで、当接部材９０１の下面で非安全部品への電源９０２をＯＮすると共に、当接部材９０１の側面に設けられた突出片９０５で開閉センサ９０３をＯＮする。これにより、同一の当接部材９０１で非安全部品への電源９０２及び開閉センサ９０３をＯＮできるので、部品点数を削減し、装置の小型化及び省スペース化を実現できる。
【０１５４】
また、本実施の形態のインターロック装置２０４では、例えば、非安全部品としてＬＳＵ及び駆動モータを想定している。したがって、電気的にＬＳＵと駆動モータとの２個所への電源供給を制御させることにより、１つの当接部材９０１で３個所の部材をＯＮ／ＯＦＦできる。
【０１５５】
これにより、その分部品間のバラツキが発生する余地が減少し、精度の高いインターロック装置２０４を実現できる。その結果、開閉カバー２００の開閉動作に連動させて、ＬＳＵ及び駆動モータへの電源供給又は遮断を確実に行うことができる。
【０１５６】
一方、押下部材７０５を回動軸７０１に取り付けて、回動軸７０１の回動により上下方向に回動させることにより、押下部材７０５を平行方向に移動させるのではなく、平行方向に移動する際に妨げとなっていた回動動作を用いて移動させる。このため、押下部材７０５の移動を妨げるものがなく、押下部材７０５をスームズに移動させることができる。その結果、電源供給のＯＮ／ＯＦＦを確実に行うことができる。
【０１５７】
また、押下部材７０５を回動軸７０１に取り付けて回動軸７０１の回動により上下方向に回動させることにより、押下部材７０５の回動動作の起点が回動軸７０１となって、押下部材７０５の力点と回動支点とが同一点上に重ならせることができる。このため、従来のように、力点と回動支点とが分離する場合のように、各押下手段の移動の際にガタが生ずるのを防止でき、押下部材７０５をスムーズに移動させることができる。その結果、電源供給のＯＮ／ＯＦＦを確実に行うことができる。
【０１５８】
図１１（ａ）は、本実施の形態のインターロック装置２０４を構成する第２機構の斜視図を示し、図１１（ｂ）は上面図を示し、図１１（ｃ）は正面図を示している。図１１においては、側面カバー３００が開いている状態を示している。なお、図１１（ｂ）に示す右側、左側、上側及び下側をそれぞれ装置右方、装置左方、装置後方及び装置前方という。
【０１５９】
上述のように、第２機構は、開閉カバー２００の開閉状態と側面カバー３００の開閉状態とを関連づけて側面カバー３００が開いた状態で非安全部品の電源等がＯＮされるのを回避するものである。
【０１６０】
具体的には、第２機構は、側面カバー３００が開いた状態では、開閉カバー２００が閉じる場合に装置後方に移動するロック部材７０９の装置後方への移動を規制することで開閉カバー２００が閉じるのを防止する。これにより、側面カバー３００が開いているにも関わらず、開閉カバー２００が閉じて非安全部品の電源等がＯＮされるのを回避する。
【０１６１】
一方、第２機構は、側面カバー３００が閉じた場合には、ロック部材７０９の装置後方への移動を許容することで、開閉カバー２００が閉じるのを許容する。これにより、側面カバー３００が閉じた場合には、開閉カバー２００を閉じさせて非安全部品の電源等がＯＮされるのを確保する。
【０１６２】
第２機構は、図１１に示すように、水平方向に設けられたロック規制部材１１０１を備えている。ロック規制部材１１０１は、第２機構の筐体１１０２に支持されている。ロック規制部材１１０１は、筐体１１０２に左右方向に移動可能に支持されている。なお、筐体１１０２は、第１筐体１１０２ａ及び第２筐体１１０２ｂから構成され、それぞれフレーム２０５の第２面５０２に固定されている。
【０１６３】
ロック規制部材１１０１の中央近傍に、係止部１１０３が設けられている。係止部１１０３は、ロック規制部材１１０１の周面に取り付けられたばね１１０４の端部を付勢するためのものである。
【０１６４】
ばね１１０４は、係止部１１０３と第１筐体１１０２ａの内壁面との間に取り付けられている。このばね１１０４の装置左方に伸びようとする力によりロック規制部材１１０１は、通常時に装置左方に付勢された状態（図１１に示す状態）となっている。
【０１６５】
ロック規制部材１１０の装置左方側の端面には、側面カバー３００が閉じられる場合にフック３０１の端部が当接する。フック３０１の端部が当接することで、ロック規制部材１１０１が装置右方に押し込まれる。
【０１６６】
なお、フック３０１は、図１１（ａ）に示すように、先端部近傍に下方に開いた切り欠き部３０１ａを有している。後述するように、側面カバー３００が閉じている場合には、切り欠き部３０１ａにロック部材７０９が入り込む。
【０１６７】
ロック規制部材１１０１の装置右方側の先端の移動方向には、定着ユニット１１８の外壁面に固定された係合部５０５が配置されている。フック３０１により装置右方に押し込まれると、ロック規制部材１１０１の先端部は、係合部５０５に係合する。
【０１６８】
ロック規制部材１１０１の先端部近傍であって装置後方側に、突出部１１０５が設けられている。突出部１１０５は、筐体１１０２ｂに形成された溝部１１０６に入り込んでいる。この突出部１１０５と溝部１１０６とでロック規制部材１１０１のガイドが構成される。
【０１６９】
ロック規制部材１１０１の先端部近傍であって装置前方側に、ストッパ１１０７が設けられている。ストッパ１１０７は、側面カバー３００が開いている場合にロック部材７０９が装置後方に移動するのを規制する。なお、ストッパ１１０７は、ロック規制部材１１０１の先端部よりも装置左方に長く延びた形状を有している。
【０１７０】
ここで、ストッパ１１０７の先端をロック規制部材１１０１の先端部よりも場長い構成としたのは、側面カバー３００が閉じることでロック規制部材１１０１が装置右方に移動した場合に、ロック規制部材１１０１とフック３０１との間にロック部材７０９が入り込むのを回避するためである。
【０１７１】
これにより、側面カバー３００のフック３０１がロック規制部材１１０１を退避させる際、ロック部材７０９がフック３０１とロック規制部材１１０１との間に入り込むのを確実に防止することができる。このため、誤動作により側面カバー３００が閉っていないにも関わらず開閉カバー２００が閉ることはなく、開閉カバー２００の開閉センサと側面カバー３００の開閉センサとの兼用している場合であっても、側面カバー３００が開いたままで装置内で動作が開始されるのを確実に防止できる。
【０１７２】
図１２（ａ）は、本実施の形態のインターロック装置２０４を構成する第２機構の斜視図を示し、図１２（ｂ）は上面図を示し、図１２（ｃ）は正面図を示している。なお、図１２においては側面カバー３００が閉じた状態で、開閉カバー２００も閉じている状態を示している。
【０１７３】
この場合には、図１２に示すように、フック３０１がロック規制部材１１０１に当接し、ロック規制部材１１０１を装置右方に押し込んでいる。このため、ロック規制部材１１０１の先端は係合部５０５に入り込んでいる。これにより、定着ユニット１１８の着脱が制限されることとなる。
【０１７４】
側面カバー３００が閉じてロック規制部材１１０１が装置右方に移動した場合には、図１２（ｂ）、（ｃ）に示すように、ストッパ１１０７もロック部材７０９の移動領域から装置右方に退避した状態となっている。
【０１７５】
このとき、ロック部材７０９の移動領域には、フック３０１の切り欠き部３０１ａが配置されている。したがって、この状態で開閉カバ−２００が閉められると、ロック部材７０９は切り欠き部３０１ａを通過して第２筐体１１０２ｂに当接することとなる。
【０１７６】
このように本実施の形態のインターロック装置２０４によれば、回動軸７０１に側面カバー３００のロック部材７０９を設けて回動軸７０１の回動により側面カバー３００をロックする。これにより、回動軸７０１の回動という１つの動作で、▲１▼電源９０２のＯＮ／ＯＦＦ、▲２▼開閉センサ９０３のＯＮ／ＯＦＦ、▲３▼側面カバー３００カバーのロック、という３つの動作を行うことができる。このため、部品点数を削減して、前記３動作を行わせる機構をコンパクトにできる。
【０１７７】
また、側面カバー３００が閉るまでロック部材７０９に当接して回動レバー７０４の回動を規制するロック規制部材１１０１を設けている。これにより、側面３００が閉めるまでは開閉カバー２００を閉めようとしても回動レバー７０４は回動せず、これが妨げとなって開閉カバー２００は閉らない。このため、開閉カバー２００が閉位置にあるときは必ず側面カバー３００も閉位置にあることになり、開閉カバー２００の開閉センサ９０３を側面カバー３００の開閉センサ９０３として兼用でき、その分部品点数を削減し、装置の小型化及び低コストを実現できる。
【０１７８】
また、側面カバー３００にフック３０１を設け、側面カバー３００を閉めることでフック３０１がロック規制部材１１０１を退避させ、回動レバー７０４を回動自在な状態にしている。このため、フック３０１は、ロック部材７０９と係合する機能とロック規制部材１１０１を退避させる機能との２つの機能を兼ねる。したがって、簡単な機構により、側面カバー３００の開閉と回動レバー７０４の回動規制とを確実に対応づけて、側面カバー３００が開状態になると回動レバー７０４を確実に回動不能な状態にすることができる。一方、側面カバー３００が閉状態になると回動レバー７０４を確実に回動自在な状態にすることができる。
【０１７９】
次に、側面カバー３００が閉じられた状態において、開閉カバー２００が閉じられる場合の本インターロック装置２０４の動作について説明する。
【０１８０】
図１３及び図１４は、本インターロック装置２０４と開閉カバー２００との関係を示す図である。図１３においては開閉カバー２００が閉じる直前の状態を示し、図１４においては開閉カバー２００が閉じている状態を示している。なお、図１３及び図１４に示す左側を装置前方といい、右側を装置後方というものとする。
【０１８１】
図１３に示すように、開閉カバー２００が閉じられる直前の状態では、開閉カバー２００の裏面のリブ２０３は、回動レバー７０４に当接していない。したがって、回動レバー７０４は、装置前方に付勢された状態である。
【０１８２】
このとき、回動軸７０１に固定された押下部材７０５は、装置前方に退避している。このため、スイッチ機構の当接部材９０１は押下されておらず、電源９０２のボタン１００１も押下されていない。したがって、電源９０２から非安全部品に電源供給されることはない。
【０１８３】
一方、開閉カバー２００が閉じられた場合には、図１４に示すように、開閉カバー２００の裏面のリブ２０３が回動レバー７０４に当接する。これにより、回動レバー７０４は、装置後方に回動する。
【０１８４】
このとき、回動軸７０１に固定された押下部材７０５も、装置後方に回動する。このため、押下部材７０５の下端部が当接部材９０１の当接片９０４に当接し、当接部材９０１を押下させる。当接部材９０１の移動に応じて電源９０２のボタン１００１も押下される。これにより、電源９０２から非安全部品に電源供給が行われることとなる。
【０１８５】
このように本実施の形態のインターロック装置２０４によれば、回動レバー７０４は、開閉カバー２００の内側に設けられたリブ２０３に押圧され、回動軸７０４を回動させる。このため、開閉カバー２００を閉めれば、回動レバー７０４は必ず回動軸７０１を回動させるので、非安全部品及び開閉センサ９０３への電源供給及び遮断を開閉カバー２００の開閉動作に連動させて確実に行うことができる。
【０１８６】
なお、このリブ２０３は、台として機能する装置内部への通風孔の外周カバー２０１の表面上に設けられている。インターロック装置２０４が複写機１００の奥まった所に配置される場合であっても、リブ２０３を開閉カバー２００の内側に設けられた外周カバー２０１の上に形成して、リブ２０３と開閉カバー２００との間の距離を長くすることができる。
【０１８７】
このため、押下部材７０５自体の長さを短くできるので、押下部材７０５をぶれなく回動レバー７０４に当てることができ、非安全部品及び開閉センサ９０３への電源の供給及び遮断を確実に行うことができる。しかも、押下部材７０５を移動させるガイドなどの構成を省くことができるので、部品点数を削減して装置の小型化を図ることができる。
【０１８８】
また、装置内部に送風する通風孔の外周カバーを、リブ２０３を載せる台と兼用することにより、この台を別個の構成として設ける必要がない。したがって、その分部品点数の増加を防止でき、コスト高を抑止すると共に装置の小型化を図ることができる。
【０１８９】
なお、本実施の形態では、インターロック装置２０４を備えた複写機１００について説明しているが、これに限定されず、装置内部のメンテナンス等を行う開閉カバー２００や側面カバー３００を有する装置であれば、どのような装置にも適用することができる。例えば、プリンタ機能、コピー機能及びファックス機能のいずれか２つ以上の機能を有する、複合機などに適用することができる。
【０１９０】
また、本実施の形態では、当接部材９０１の下面で非安全部品としてのＬＳＵ及び駆動モータをＯＮさせる一方、当接部材９０１の側面に設けられた突出片９０５で開閉センサ９０３をＯＮさせている。しかし、これに限定されず、当接部材９０１の下面でＬＳＵへの電源をＯＮさせる一方、突出片９０５で駆動モータへの電源をＯＮさせるようにしてもよい。
【０１９１】
このように変更した場合でも、１つの当接部材９０１で２個の部材のＯＮ／ＯＦＦ制御を実現できる。このため、その分部品間のバラツキが発生する余地が減少し、精度の高いインターロック装置を実現できる。その結果、開閉カバーの開閉動作に連動させて、ＬＳＵ及び駆動モータへの電源供給又は遮断を確実に行うことができる。
【０１９２】
さらに、本実施の形態では、回動軸７０１の回動に応じて前後運動するロック部材７０９を、側面カバー３００をロックする場合に使用している。しかし、これに限定されず、この前後運動する点を考慮して、後方に配置された部品（以下、「後方部品」という）をＯＮする押下部材として用いてもよい。
【０１９３】
このように変更した場合には、回動軸７０１が回動することで、押下部材７０５を下方に回動させ電源９０２をＯＮすることができると共に、ロック部材７０９を押下部材として用いて後方に回動させ後方部品をＯＮさせることができる。これにより、回動軸７０１の回動という１つの動作で電源９０２及び後方部品をＯＮすることができるので、電源９０２及び後方部品のＯＮ／ＯＦＦを効率的に行うことができる。
【０１９４】
【発明の効果】
以上説明したように本発明によれば、開閉カバーの開閉動作に連動して、開閉カバーの状態を検知すると共に非安全部品への電源を確実に供給遮断でき、且つその機構を小型化した場合であっても低コストを実現することができる。
【図面の簡単な説明】
【図１】本発明の一実施の形態に係るインターロック装置が適用される複写機の概略構成図
【図２】（ａ）上記実施の形態に係るインターロック装置が適用される複写機全体の上面図
（ｂ）上記実施の形態に係るインターロック装置周辺の拡大図
【図３】（ａ）上記実施の形態に係るインターロック装置が適用される複写機全体の前面図
（ｂ）上記実施の形態に係るインターロック装置周辺の拡大図
【図４】（ａ）上記実施の形態に係るインターロック装置が適用される複写機の開閉カバーを閉じた場合の側面図
（ｂ）上記実施の形態に係るインターロック装置が適用される複写機の開閉カバーを開いた場合の側面図
【図５】上記実施の形態に係るインターロック装置周辺の斜視図
【図６】上記実施の形態に係るインターロック装置を構成する第１機構の斜視図
【図７】（ａ）上記実施の形態に係るインターロック装置の第１機構を構成する回動機構の斜視図
（ｂ）上記実施の形態に係るインターロック装置の第１機構を構成する回動機構の正面図
（ｃ）上記実施の形態に係るインターロック装置の第１機構を構成する回動機構の上面図
【図８】（ａ）図７（ｃ）に示す点線Ａにおける回動機構の断面図
（ｂ）図７（ｃ）に示す点線Ｂにおける回動機構の断面図
【図９】（ａ）上記実施の形態に係るインターロック装置の第１機構を構成するスイッチ機構の斜視図
（ｂ）上記実施の形態に係るインターロック装置の第１機構を構成するスイッチ機構の上面図
【図１０】（ａ）上記実施の形態に係るスイッチ機構の当接部材周辺の正面図
（ｂ）図１０（ａ）に示す点線Ａにおけるスイッチ機構の断面図
（ｃ）上記実施の形態に係るスイッチ機構の当接部材周辺の正面図
（ｄ）図１０（ｃ）に示す点線Ａにおけるスイッチ機構の断面図
【図１１】（ａ）上記実施の形態のインターロック装置を構成する第２機構の斜視図
（ｂ）上記実施の形態のインターロック装置を構成する第２機構の上面図
（ｃ）上記実施の形態のインターロック装置を構成する第２機構の正面図
【図１２】（ａ）上記実施の形態のインターロック装置を構成する第２機構の斜視図
（ｂ）上記実施の形態のインターロック装置を構成する第２機構の上面図
（ｃ）上記実施の形態のインターロック装置を構成する第２機構の正面図
【図１３】上記実施の形態に係る本インターロック装置と開閉カバーとの関係を示す図
【図１４】上記実施の形態に係る本インターロック装置と開閉カバーとの関係を示す図
【図１５】従来のインターロック装置の構成を示す拡大図
【図１６】従来のインターロック装置の構成を示す拡大図
【図１７】従来のインターロック装置における不具合を示す図
【符号の説明】
１００  複写機
１１８  定着ユニット
２００  開閉カバー
２０１  外周カバー
２０３  リブ
２０４  インターロック装置
２０５  フレーム
３００  側面カバー
３０１  フック
５０４  通気孔
５０５  係合部
６０１  スイッチ機構
６０２  回動機構
７０１  回動軸
７０２  筐体
７０３  連結部材
７０４  回動レバー
７０５  押下部材
７０６  突出片
７０７  ばね
７０８  軸部
７０９  ロック部材
９０１  当接部材
９０２  電源
９０３  開閉センサ
９０４  当接片
９０５  突出片
１１０１  ロック規制部材
１１０２  筐体
１１０４  ばね
１１０７  ストッパ
【図１】
0004130742.tif 000002
【図２】
0004130742.tif 000003
【図３】
0004130742.tif 000004
【図４】
0004130742.tif 000005
【図５】
0004130742.tif 000006
【図６】
0004130742.tif 000007
【図７】
0004130742.tif 000008
【図８】
0004130742.tif 000009
【図９】
0004130742.tif 000010
【図１０】
0004130742.tif 000011
【図１１】
0004130742.tif 000012
【図１２】
0004130742.tif 000013
【図１３】
0004130742.tif 000014
【図１４】
0004130742.tif 000015
【図１５】
0004130742.tif 000016
【図１６】
0004130742.tif 000017
【図１７】
0004130742.tif 000018